(57)【要約】【課題】  ユーザへ操作手順情報を提供することが可能な映像記録・再生装置、サーバー及びシステムを提供する。【解決手段】  ユーザが操作してコンテンツを記録・再生する映像記録・再生装置であって、ユーザから当該装置へ発行されたコマンド履歴を収集するコマンド発行履歴収集手段と、コンテンツ単位の視聴実績を収集する視聴実績収集手段と、ユーザが操作できる機能情報を表示する機能情報表示手段と、ネットワークに接続し外部のサーバーに向け前記コマンド履歴と前記視聴実績を送信しこの外部のサーバーから前記機能情報を受信する送受信部とを具備することを特徴とする映像記録・再生装置。【選択図】      図１０
2008131357.tif 000002
【特許請求の範囲】
【請求項１】
ユーザが操作してコンテンツを記録・再生する映像記録・再生装置であって、
ユーザから当該装置へ発行されたコマンド履歴を収集するコマンド発行履歴収集手段と、
コンテンツ単位の視聴実績を収集する視聴実績収集手段と、
ユーザが操作できる機能情報を表示する機能情報表示手段と、
ネットワークに接続し外部のサーバーに向け前記コマンド履歴と前記視聴実績を送信しこの外部のサーバーから前記機能情報を受信する送受信部とを
具備することを特徴とする映像記録・再生装置。
【請求項２】
ネットワークに接続する送受信部と、
外部のユーザが操作してコンテンツを記録・再生する映像記録・再生装置からユーザから当該装置へ発行されたコマンド履歴を前記送受信部を通して受信し記憶するコマンド履歴記憶手段と、
当該装置におけるコンテンツ単位の視聴実績を前記送受信部を通して受信し記憶する視聴実績記憶手段と、
当該装置が具備している機能とその操作手順を格納しているデータベースと、
前記データベースと前記コマンド履歴記憶手段と前記視聴実績記憶手段からの情報に基づきユーザの所望操作を解析・推定する判断手段と、
この判断手段により推定されたユーザの所望操作に係る推奨操作手順をユーザに操作を促すように表示するための機能情報を前記送受信部を通して当該装置へ送信する機能情報提供手段とを
具備することを特徴とするサーバー。
【請求項３】
請求項１に記載の映像記録・再生装置と請求項２に記載のサーバーとからなる映像記録・再生システム。
【請求項４】
ネットワークに接続する送受信部と、
外部のユーザが操作してコンテンツを記録・再生する映像記録・再生装置が具備している機能とその操作手順を格納しているデータベースと、
前記データベースの情報に基づきユーザの所望操作を解析・推定する判断手段と、
この判断手段により推定されたユーザの所望操作に係る推奨操作手順をユーザに操作を促すように表示するための機能情報を前記送受信部を通して当該装置へ送信する機能情報提供手段とを
具備することを特徴とするサーバー。
【請求項５】
請求項１に記載の映像記録・再生装置と請求項４に記載のサーバーとからなる映像記録・再生システム。
【発明の詳細な説明】
【技術分野】
【０００１】
本発明は、ユーザへ操作手順情報を提供することが可能な映像記録・再生装置、サーバー及びシステムに関する。
【背景技術】
【０００２】
映像を記録しまた再生する装置である映像記録・再生装置として、例えばHDD/DVDレコーダは、高機能・多機能化に向けて年々急速に進化している。その一方で、説明書の厚みが増し、利用者（特に初心者）が機能を使いこなすことは非常に難しくなってきている。今後は利用者からの操作性に関する要求が増大することが予想され、開発者側にとっても利用者の利便性を向上させるための施策が急務である。
【０００３】
換言すると従来、ＤＶＤプレーヤのような民生用のＡＶ機器は、例えばテレビやビデオのように、お年寄りから子供まで幅広い年代の人が特別な知識や技術を必要とせず、容易に操作できることが求められてきた。しかし、操作において高度な機能を使いこなせるのは、一部のユーザに限られ、多くの人にとっては、操作が難しいと感じたり、不要な機能として認識されたりする場合も多かった。
【０００４】
そのため、ＡＶ機器側はアニメーションやウィンドウなどのＧＵＩ(Graphical User Interface)を駆使し、特別な知識を持たない人にも、操作や機能を分かりやすく説明する工夫をすることもあった。しかしながら、その工夫が逆にＧＵＩを煩雑なものにし、一部のユーザにはうるさく感じられることもあるし、ＧＵＩの処理時間がユーザに待ちを強いることになり、ユーザのストレスとなる場合もあった。
【０００５】
これに対し、ＧＵＩ機能を充実させ、ユーザの好みや用途、ＡＶ機器に関する知識レベルなどの使用条件に応じて使用する機能をユーザが任意に選択して設定することができたり、記録再生装置が前記使用条件を記憶しておき、記憶した使用条件にもとづいて自動設定するなどの、使い勝手を容易に高めることが可能と主張する記録再生装置もあった。さらにネットワークの利用に関して、利用者の直接操作により外部から与えられた操作情報及び付加情報を蓄積する操作情報蓄積手段と、入力された情報等により蓄積されている情報をもとに機器の操作内容を推定する操作方法推定手段を具備するネットワーク型デジタル映像情報管理装置なる提案もあった（特許文献１）。
【０００６】
その対象は、家庭内ネットワークで接続された複数機器の協調動作を支援し、利用者の操作ミスを軽減するための装置である。このような方向も一法であるが、しかしながら、コンテンツ等を対象としたユーザが知らない具体的な操作手順に関わるものではなく、ユーザが高機能・多機能を使いこなす要請に応えるもの例えば装置自体の便利機能を利用者にナビゲーションするための装置という目的、構成は開示されていなかった。
【特許文献１】特開２０００−１７５１３６号公報（１８頁、図１）
【発明の開示】
【発明が解決しようとする課題】
【０００７】
本発明は上記実情に鑑みてなされたものであり、ユーザへ高機能・多機能を使いこなす操作手順情報を提供することが可能な映像記録・再生装置、サーバー及びシステムを提供することを目的とする。
【課題を解決するための手段】
【０００８】
本発明に係る映像記録・再生装置は、ユーザが操作してコンテンツを記録・再生する映像記録・再生装置であって、ユーザから当該装置へ発行されたコマンド履歴を収集するコマンド発行履歴収集手段と、コンテンツ単位の視聴実績を収集する視聴実績収集手段と、ユーザが操作できる機能情報を表示する機能情報表示手段と、ネットワークに接続し外部のサーバーに向け前記コマンド履歴と前記視聴実績を送信しこの外部のサーバーから前記機能情報を受信する送受信部とを具備することを特徴とする。
【０００９】
本発明に係るサーバーは、ネットワークに接続する送受信部と、外部のユーザが操作してコンテンツを記録・再生する映像記録・再生装置が具備している機能とその操作手順を格納しているデータベースと、前記データベースの情報に基づきユーザの所望操作を解析・推定する判断手段と、この判断手段により推定されたユーザの所望操作に係る推奨操作手順をユーザに操作を促すように表示するための機能情報を前記送受信部を通して当該装置へ送信する機能情報提供手段とを具備することを特徴とする。
【発明の効果】
【００１０】
本発明によれば、ユーザへ操作手順情報を提供することが可能な映像記録・再生装置、サーバー及びシステムを得ることが可能となる。
【発明を実施するための最良の形態】
【００１１】
以下、図面を参照して、本発明の実施形態について説明する。
【実施例１】
【００１２】
本発明による実施例１を図１乃至図１０を参照して説明する。
（構成）
以下、この発明の実施の形態について図面を参照して詳細に説明する。図１は、この実施の形態で説明するネットワークシステムの概略を示している。図１において、符号１はサーバーとなる装置である。
【００１３】
このサーバー１は、ネットワーク２を介して複数（図示の場合は３つ）の映像記録・再生装置１０，１０ｂ，１０ｃと交信することができる。
これらの映像記録・再生装置１０，１０ｂ，１０ｃとしては、例えばＰＣ（personal computer）やテレビジョン放送受信機等のように、入力・放送されたコンテンツに基づいた映像表示や音声再生等、更には録画が行なえるものが想定される。
【００１４】
図２は、サーバー１の信号処理系を示している。まず、ここで、サーバー１は、その全ての動作を制御部６により統括的に制御されている。この制御部６は、ＣＰＵ（central processing unit）等を内蔵しており、各部をそれぞれ制御している。
【００１５】
この場合、制御部６は、メモリ部５を利用している。このメモリ部５は、図３に示すように、ＣＰＵが実行する制御プログラムを格納したＲＯＭ（read only memory）５ａと、該ＣＰＵに作業エリアを提供するＲＡＭ（random access memory）５ｂと、各種の設定情報及び制御情報等が格納される不揮発性メモリ５ｃとを有している。
【００１６】
そして、上記不揮発性メモリ５ｃには、上記映像記録・再生装置１０，１０ｂ，１０ｃを所有する各ユーザに関するコマンド発行履歴情報が記録されたコマンド発行履歴情報データベース５ｃ１と、映像記録・再生装置１０，１０ｂ，１０ｃの機能を示す情報が記録された機能情報データベース５ｃ２と、各ユーザ毎にコンテンツの視聴実績を記録したコンテンツ視聴実績データベース５ｃ３とが形成されている。
【００１７】
ここで、再び、図２に示すように、上記制御部６は、入出力制御部３７及び入出力端３８を介して外部のネットワーク２に接続されている。そして、この制御部６は、ネットワーク２を介して所望の映像記録・再生装置にアクセスすることにより、必要な情報を取得することができるようになっている。
【００１８】
また、上記制御部６は、大記録容量を有するＨＤＤ（hard disk drive）３６に接続されており、映像記録・再生装置等の各種の取得した情報を、ＨＤＤ３６に記録再生することができるようになっている。例えば上記５ｃ１、５ｃ２、５ｃ３はＨＤＤ３６に形成してもよいし、またバックアップをＨＤＤ３６にとってもよい。
【００１９】
さらに、上記制御部６は、入出力制御部３７及び入出力端３８を介して上記ネットワーク２経由でＨＤＤ３６等にある各種の既に取得、生成した情報を、各映像記録・再生装置１０，１０ｂ，１０ｃに配信することができるようになっている。
【００２０】
そして、上記制御部６は、図４に示すように、コマンド発行履歴情報データベース５ｃ１を管理するためのコマンド発行履歴情報管理部６ａと、コマンド発行履歴情報データベース５ｃ１と機能情報データベース５ｃ２とコンテンツ視聴実績データベース５ｃ３とを利用して後述のユーザの所望操作を推測するための所望操作の推測部６ｃと、この推測に基づく操作手順の判定を行う判定部６ｄと、判定結果に基づき機能ナビ情報を機能情報データベース５ｃ２を管理しながら取得し各映像記録・再生装置１０，１０ｂ，１０ｃに送信するための機能情報管理部６ｂと、各映像記録・再生装置１０，１０ｂ，１０ｃからの再生停止及び削除指示に基づいてコンテンツの視聴実績をコンテンツ視聴実績データベース５ｃ３に記録するためのコンテンツ視聴実績管理部６ｅとを備えている。
【００２１】
図５、図６、図７に本装置のデータベースの構成図を示す。これらは、一般的なリレーショナルデータベースの構成であり、特別な形式というわけではない。
図５は機能情報データベースの構成図である。映像記録・再生装置に具備されている機能と各機能の操作手順をペアで管理するデータベースである。機能毎に、少なくとも1つ以上の推奨操作手順および利用者が実施するであろう1つ以上の類推操作手順の情報を保持する。類推操作手順には、コンテンツの視聴履歴から類推可能な情報と、コマンド発行履歴から類推可能な情報とが含まれる。図５の類推操作手順1は前者であり、類推操作手順２は後者である。なお本データベースを映像記録・再生装置１０，１０ｂ，１０ｃに置くと通常は、既定内容として装置の出荷前に予め用意されている必要がある。本データベースをサーバー１側に置くことによって、装置出荷後に予想される保守・更新の必要性発生への対応作業が、本構成ではより容易となる。
【００２２】
図６はコマンド履歴記憶手段を構成するコマンド発行履歴データベースの構成図である。リモコン等から本装置へ発行された制御コマンドの履歴を機器固有IDとコンテンツ単位で記録する。少なくとも、コンテンツIDと発行コマンドIDの情報を保持する。また、利用者の所望操作の分析処理を高速化する等の目的で、更新日時の情報も保持する。本データベースによりサーバー側で利用者毎の利用形態情報を自動収集できるため、この情報を新規機能の検討等に活用する等、二次的効果が期待できるが、本データベースは必ずしも記憶保持しておく必要はなく、サーバー側に持たない構成も有りうる。
【００２３】
図７はコンテンツ視聴実績データベースである。本データベースでは、少なくとも機器固有IDとコンテンツID毎に、再生開始時刻と再生停止時刻の情報を保持する。前記時刻は、例えばコンテンツ先頭からの相対時刻であり、DVDフォーマットで記録されたコンテンツの場合は同期再生のための時間情報であるPTS(Presentation Time Stamp)等の情報を利用しても良い（この場合、初期値は０である）。また利用者の所望操作の分析処理を高速化する等の目的で、更新日時の情報を保持する。本データベースによりサーバー側で利用者毎の利用形態情報を自動収集できるため、この情報を新規機能の検討等に活用する等、二次的効果が期待できるが、本データベースは必ずしも記憶保持しておく必要はなく、サーバー側に持たない構成も有りうる。
【００２４】
図８は、本発明の一実施形態に係る映像記録・再生装置の構成を示すブロック図である。
初めに、図８の放送記録装置１０は、一例として、チューナ等をソースとして記録機能を有するデジタルテレビジョンである。しかしながら、チューナ等と記録機能とをもったハードディスクレコーダも同様に好適である。
【００２５】
従って、以下の図８を用いた実施形態の説明においては、記録機能をもったデジタルテレビジョンとして詳細に説明を行なうが、図８からディスプレイ２６を分離することにより、全く同様の機能をもったハードディスクレコーダとしての説明と解釈することが可能である。
【００２６】
図８において、デジタルテレビジョンである放送記録装置１０は、２種類のディスクドライブを有する。第1のメディアとしてハードディスクＨを駆動するハードディスクドライブ部１８と、第２のメディアとしてビデオファイルを構築できる情報記録媒体である光ディスクＤを回転駆動し、情報の読み書きを実行する光ディスクドライブ部１９を有している。又、制御部４７は、全体の動作を司るべくデータバスＢを介して各部に接続されている。しかし、本発明を実施する場合において、光ディスクドライブ部１９は必ずしも必要な構成ではない。
【００２７】
又、図８の放送記録装置１０は、録画側を構成するエンコーダ部２１と、再生側を構成するＭＰＥＧデコーダ部２３と、装置本体の動作を制御する制御部４７とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）デジタル／アナログチューナ部１２と、いわゆる地上波デジタル／アナログチューナ部１３とが接続され、エンコーダ部２１に信号を出力する。又、ＢＳ／ＣＳデジタル／アナログチューナ部１２には衛星アンテナが、地上波デジタル／アナログチューナ部１３には地上波アンテナが接続されている。又、放送記録装置１０は、エンコーダ部２１と、エンコーダ部２１の出力を受け、データ編集等の所望のデータ処理を行う信号編集部２０、信号編集部２０に接続されるハードディスクドライブ部１８、光ディスクドライブ部１９を有している。更に、放送記録装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、関連コンテンツ制御部４２、予約録画部・番組表生成部４３、制御部４７を有している。これらの各部は、データバスＢを介して制御部４７に接続されている。更に、セレクタ部１７の出力は、ディスプレイ２６に供給されるか、外部装置との通信を行うインタフェース部２７を介して、外部装置に供給される。ディスプレイ２６は通常音声等出力用のスピーカを伴っている。
【００２８】
更に、放送記録装置１０は、データバスＢを介して制御部４７に接続され、ユーザの操作やリモコンＲの操作を受ける操作部３２を有している。ここで、リモコンＲは、放送記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００２９】
ここで、放送記録装置１０は、上記した受信動作を含むその全ての動作を制御部４７により統括的に制御されている。この制御部４７は、ＣＰＵ等を内蔵しており、操作部３２からの操作情報を受信し、その操作内容が反映されるように各部をそれぞれ制御している。
【００３０】
この場合、制御部４７は、その内部にある図示せぬメモリ部を利用していてこのメモリ部は、ＣＰＵが実行する制御プログラムを格納したＲＯＭと、該ＣＰＵに作業エリアを提供するＲＡＭと、各種の設定情報及び制御情報等が格納される不揮発性メモリとを有している。そしてこの制御部４７は、コンテンツを音声映像処理部２４によりセレクタ部１７を経由して映像表示及び音声再生することを可能にするよう構成されている。
【００３１】
ここで、上記制御部４７は、図９に示すように、サーバー１と通信部１１を介して通信するための送受信部４７ａと、サーバー１へ送信されるコマンド発行履歴を収集するためのコマンド発行履歴収集部４７ｂと、サーバー１へ送信されるコンテンツ視聴実績を収集するためのコンテンツ視聴実績収集部４７ｃと、受信した機能ナビ情報をディスプレイ２６により映像表示及び音声再生させる機能ナビ情報表示再生部４７ｄとを備えている。
【００３２】
（基本動作）
次に、図１０を用いて処理の流れを説明する。まず、利用者の操作に基づきリモコンR等から映像記録・再生装置１０へ、再生/停止/巻き戻し等の制御コマンドを発行する（ステップS201）。以下、映像記録・再生装置１０が処理を行う。
【００３３】
前記S201で発行された制御コマンドの履歴を記憶する（ステップS202）。
続いて前記S201で発行された制御コマンドが、コンテンツの再生/停止等に関わる処理かを判定する（ステップS203）。
前記S203で判定した結果がYesの場合、コンテンツの再生開始/停止時刻等の視聴実績を記憶する（ステップS204）。再生開始/停止時刻とは、例えば、コンテンツ先頭からの相対時刻であり、DVDフォーマットで記録されているコンテンツの場合はPTS(Presentation Time Stamp)等の情報を利用しても良い。
【００３４】
当該装置は、前記S203、S204で収集したコマンド発行履歴とコンテンツ視聴実績の情報を機器固有のID付きでサーバーに送信する。（ステップS205）。
【００３５】
サーバーは、前記S205で送信された情報を受け取り、サーバー内部のデータベース５ｃ１、５ｃ３に記憶する（ステップS206）。
ここで、前記コマンド発行履歴情報データベース５ｃ１には、図６に示すように、機器を識別するための情報である機器ＩＤと、コンテンツIDと、発行コマンドIDと、更新日時の情報とが対応させられて記録される。
【００３６】
また、前記機能情報データベース５ｃ２には、図５に示すように、映像記録・再生装置に具備されている機能と、その各機能の操作手順とが対応させて記録されている。
【００３７】
さらに、前記コンテンツ視聴実績データベース５ｃ３には、図７に示すように、機器を識別するための情報である機器ＩＤとコンテンツＩＤ毎に、再生開始時刻と再生停止時刻の情報と、その利用者の所望操作の分析処理を高速化する等が目的の更新日時情報とが対応させて記録されている。
【００３８】
このステップS206において、コマンド発行履歴管理部６ａは同一コンテンツＩＤの発行コマンドＩＤを図６のように更新日時順にまとめてコマンド発行履歴情報データベース５ｃ１に格納する。手段としては例えばコマンド発行履歴管理部６ａは図示せぬコンテンツＩＤバッファを持ち新しいコマンドの到着時にそのコンテンツＩＤがバッファ中の旧コンテンツＩＤと一致しているかを判定し一致なら追記、不一致なら新たなコンテンツＩＤのレコードの作成に移り、またバッファに新コンテンツＩＤを格納するといった制御を行う。コンテンツＩＤバッファは装置の電源遮断時または投入時にリセットされるように構成しておけば、電源投入の状態でユーザがコンテンツを切替えずに使い続けている間、同一コンテンツＩＤの発行コマンドＩＤは追記される。コンテンツＩＤバッファは不揮発性メモリ５ｃにあってもよい。
【００３９】
サーバーは、前記ステップS205で送信された情報と機能情報データベースの類推手順との比較により、利用者の所望操作を分析・推測する。例えば、利用者がほぼ一定の開始位置からほぼ一定の終了位置までを繰り返し視聴していたり、特定区間で「再生->停止->巻き戻し」の処理を繰り返していた場合、「利用者はA-Bリピート機能を使いたい」と推測する(図５参照)（ステップS207）。
【００４０】
サーバーは、前記S207で推測した所望操作が、利用者に最適な手順で実施されているかどうかを判定する。例えば、A-Bリピート機能を知らない利用者の場合、再生->停止->巻き戻し・・・という操作を繰り返していたと仮定すると、「A-Bリピート機能」が利用されていないため最適手順ではないと判定する（ステップS208）。
【００４１】
サーバーは、前記S208で利用者の操作手順が最適でないと判定した場合、より便利な機能と操作手順のナビ情報を当該装置へ送信する（ステップS209）。
当該装置は、前記S209で送信されたナビ情報を受信し（ステップS210）、画面に表示する（ステップS211）。
利用者は、画面に表示されたナビ情報により、当該装置に「A-Bリピート」機能が存在すること、およびその操作手順を的確なタイミングで容易に知ることが可能となる（ステップS212）。
【００４２】
なお、上記実施形態に対しては、以下のような各種の変形実施が可能である。
・本装置の情報提供機能を利用するか否かの制御を追加しても良い。利用者の操作を記憶、判定する処理が不要となるため、本装置本来の映像記録・再生の処理速度をあげることが可能となる。
【００４３】
・また、利用者の嗜好にあわせて操作手順をカスタマイズ可能としても良い。例えば操作回数が同じ手順が複数あれば表示し利用者に選択させるようにする。
・利用者のデジタル知識レベルに合わせてナビ情報の内容を可変にしても良い。例えば、初心者には複雑な高機能を通知しない、説明内容に専門用語を避け平易な用語を利用する等。この場合、機能情報データベース５ｃ２に各機能の対象利用者レベルを表す情報を記録しておけばよい。また機能毎に利用者レベルに合わせた複数種類の推奨手順情報を用意しておけばよい。
【００４４】
ここで、利用者のレベルを判定する手段として、本装置の利用開始時に、利用者が各自のデジタル知識レベルを入力(自己申告)可能としても良い。
またここで、利用者のレベルを判定する手段として、操作履歴から自動的に利用者のレベル判定を行う処理を追加しても良い。判定方法としては再生や停止のような基本機能だけでなく高度な機能（特殊再生機能など）をどの程度まで利用しているかを評価すること等がある。
【００４５】
・操作手順の情報を表示するのではなく、利用者の所望操作(設定)をボタン一つで自動的に実行可能としても良い。たとえば、A-Bリピートであれば、「この特定区間のリピートを行いますか？」のダイアログを表示し、利用者が「Yes」を選ぶと、装置内部で自動的に必要なコマンド群を発行して設定を行うというものである。これを実現するためには、装置内部で機能毎に必要なコマンド発行処理を予め記憶しておけばよい。
【００４６】
クイックメニューに続いて特殊再生モードを選択せずに先頭へスキップを選択した場合などが表示のタイミングである。
本実施例では、データベースや専用処理部をサーバーで一括管理するため、装置側の構成を軽減できると共に、利用者の手を煩わせることなく保守・更新が容易に可能となる。また、サーバーでは利用者毎の利用形態情報を自動収集することが可能となるため、この情報を新規機能の検討等にフィードバックできるという二次的効果も期待できる。当該装置の利便性・信頼性を向上させる面で、開発者と利用者の両者にとって大きな効果が期待できる。
【００４７】
本発明においては、利用者の操作履歴から所望操作を自動推測し、より便利な機能とより最適な操作手順を利用者に提供できる。利用者は説明書を読むという煩雑な作業を強いられることなく、当該装置が備えている便利機能を的確なタイミングで知ることが可能となる。装置側にどんなに便利な機能がサポートされていても、その機能自体を知らなければ、利用者は説明書を開くまでに至らない。そのため、それらの機能を利用する機会が失われたままになることが懸念される。本発明においては、当該装置の利便性を向上させる効果が期待できる。
【００４８】
機能情報データベースや、所望操作の推測等の専用処理部をサーバー側で一括管理することにより、当該装置の機能追加やトラブル対応等により発生するメンテナンス作業も容易に可能となる。
【００４９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５０】
【図１】本発明の一実施形態に係るサーバーの構成を示すブロック図。
【図２】サーバーの内部構成を示すブロック図。
【図３】サーバー内部のメモリ部の構成を示すブロック図。
【図４】サーバー内部の制御部の構成を示すブロック図。
【図５】機能情報データベースに記憶される情報の一例を示す図。
【図６】コマンド発行履歴データベースに記憶される情報の一例を示す図。
【図７】コンテンツ視聴実績データベースに記憶される情報の一例を示す図。
【図８】本発明の一実施形態に係る映像記録・再生装置の構成を示すブロック図。
【図９】映像記録・再生装置内部の制御部の構成を示すブロック図。
【図１０】装置動作およびユーザ入出力を示すフローチャート。
【符号の説明】
【００５１】
１…サーバー、５ｃ１…コマンド発行履歴情報データベース（ＤＢ）、５ｃ２…機能情報データベース（ＤＢ）、５ｃ３…コンテンツ視聴実績データベース（ＤＢ）、６ａ…コマンド発行履歴管理部、６ｃ…所望操作の推測部、６ｄ…操作手順の判定部、１０，１０ｂ，１０ｃ…映像記録・再生装置、２６…ディスプレイ、４７ａ…送受信部、４７ｂ…コマンド発行履歴収集部、４７ｃ…コンテンツ視聴実績収集部、４７ｄ…機能ナビ情報表示再生部。
【図１】
2008131357.tif 000003
【図２】
2008131357.tif 000004
【図３】
2008131357.tif 000005
【図４】
2008131357.tif 000006
【図５】
2008131357.tif 000007
【図６】
2008131357.tif 000008
【図７】
2008131357.tif 000009
【図８】
2008131357.tif 000010
【図９】
2008131357.tif 000011
【図１０】
2008131357.tif 000012